(57)【要約】【課題】ノズルヘッド部とノズルロッド部の外周を同時に覆うノズルカバーを備えているものでは、ノズルヘッド部の断面がノズルロッド部の断面より大きな場合ノズルカバー３の断面が大きくなり、大きなスペースを必要とし、また、ノズルロッド部１の外周とノズルカバー３の内壁との間に大きな隙間が生じ、その部分に汚水が溜まり好ましくなかった。【解決手段】ノズルヘッド部１６の吐水孔１５を除く上面と側面の外周面を覆う第１のノズルカバー１９と、ノズルロッド部１４の外周面を覆う筒状の第２のノズルカバー２１とを配設することにより、ノズルヘッド部１６の外周と第１のノズルカバー１９の内壁との隙間やノズルロッド部１４の外周と第２のノズルカバー２１の内壁との隙間をなくし、清潔性を向上させることができる。【選択図】  図４
2004183275.tif 000002
【特許請求の範囲】
【請求項１】
便器上に設けた本体と、前記本体に人体の局部を洗う洗浄手段を内装し、前記洗浄手段には、洗浄水を噴出する吐水孔を有したノズルヘッド部と、前記ノズルヘッド部への水路を構成し、待機位置と使用位置間で移動可能なノズルロッド部を配するとともに、前記ノズルヘッド部の吐水孔を除く上面と側面の外周面を覆う第１のノズルカバーと、前記ノズルロッド部の外周面を覆う筒状の第２のノズルカバーとを配設したトイレ装置。
【請求項２】
第１のノズルカバーと第２のノズルカバーを金属で形成してなる請求項１に記載のトイレ装置。
【請求項３】
第１のノズルカバーと第２のノズルカバーをステンレスで形成してなる請求項２に記載のトイレ装置。
【請求項４】
第１のノズルカバーと第２のノズルカバーの外表面をフッ素コーティングしてなる請求項２または３に記載のトイレ装置。
【請求項５】
ノズルヘッド部の底面の表面を第１のノズルカバーと同一材料としてなる請求項１〜４のいずれか１項に記載のトイレ装置。
【請求項６】
第１のノズルカバーをノズルヘッド部にインサート成形してなる請求項１〜５のいずれか１項に記載のトイレ装置。
【請求項７】
第２のノズルカバーをノズルロッド部にインサート成形してなる請求項１〜６のいずれか１項に記載のトイレ装置。
【発明の詳細な説明】
【０００１】
【発明の属する技術分野】
本発明は、用便後などに人体の局部を洗う洗浄手段を備えたトイレ装置に関するものである。
【０００２】
【従来の技術】
従来この種のトイレ装置としては、例えば、洗浄水を噴出する吐水孔を有したノズルヘッド部と、ノズルヘッド部への水路を構成し待機位置と使用位置間で移動可能なノズルロッド部と、ノズルヘッド部とノズルロッド部の外周を同時に覆うノズルカバーを備えているものがあった（特許文献１参照）。図６は前記文献に記載された従来のトイレ装置を示すものである。図６において、ノズルロッド部１の先端にノズルヘッド部２が水密に接合されており、それらを覆うように筒状のノズルカバー３を設けることによって、ノズルヘッド部２とノズルロッド部１の外表面の段差、溝、隙間に汚れが付着するのを防止していた。
【０００３】
【特許文献１】
特開２００１−１３２０５５号公報
【０００４】
【発明が解決しようとする課題】
しかしながら、前記従来の構成では、ノズルヘッド部２の断面がノズルロッド部１の断面より大きな場合は、ノズルカバー３の断面が大きくなり、大きなスペースを必要とし、また、ノズルロッド部１の外周とノズルカバー３の内壁との間に大きな隙間が生じ、その部分に汚水が溜まり好ましくなかった。
【０００５】
本発明は、前記従来の課題を解決するもので、ノズルヘッド部やノズルロッド部の外周とノズルカバー内壁との隙間をなくして、清潔性を向上させたトイレ装置の提供を目的とする。
【０００６】
【課題を解決するための手段】
前記従来の課題を解決するために、本発明のトイレ装置は、ノズルヘッド部の吐水孔を除く上面と側面の外周面を覆う第１のノズルカバーと、前記ノズルロッド部の外周面を覆う筒状の第２のノズルカバーとを配設することにより、ノズルヘッド部の外周と第１のノズルカバー内壁との隙間やノズルロッド部の外周と第２のノズルカバー内壁との隙間をなくすものである。
【０００７】
【発明の実施の形態】
請求項１に記載の発明は、便器上に設けた本体と、本体に人体の局部を洗う洗浄手段を内装し、洗浄手段には、洗浄水を噴出する吐水孔を有したノズルヘッド部と、ノズルヘッド部への水路を構成し、待機位置と使用位置間で移動可能なノズルロッド部を配するとともに、ノズルヘッド部の吐水孔を除く上面と側面の外周面を覆う第１のノズルカバーと、前記ノズルロッド部の外周面を覆う筒状の第２のノズルカバーとを配設することにより、ノズルヘッド部の外周と第１のノズルカバー内壁との隙間やノズルロッド部の外周と第２のノズルカバー内壁との隙間をなくし、清潔性を向上させることができる。
【０００８】
請求項２に記載の発明は、第１のノズルカバーと第２のノズルカバーを金属で形成することにより、外表面にメッキ等の特殊コーティングを施すことができ、さらに、汚物を付着しにくくすることができる。また、雑巾などで拭いても傷がつきにくい。
【０００９】
請求項３に記載の発明は、第１のノズルカバーと第２のノズルカバーをステンレスで形成することにより、抗菌作用でさらに清潔性を向上させることができる。
【００１０】
請求項４に記載の発明は、第１のノズルカバーと第２のノズルカバーの外表面をフッ素コーティングすることにより、さらに汚物を付着しにくくすることができる。
【００１１】
請求項５に記載の発明は、ノズルヘッド部の底面の表面を第１のノズルカバーと同一材料とすることにより、清潔性を向上させることができる。
【００１２】
請求項６に記載の発明は、第１のノズルカバーをノズルヘッド部にインサート成形することにより、ノズルヘッド部の外周と第１のノズルカバー内壁との隙間を完全になくし、さらに清潔性を向上させることができる。
【００１３】
請求項７に記載の発明は、第２のノズルカバーをノズルロッド部にインサート成形することにより、ノズルロッド部の外周と第２のノズルカバー内壁との隙間を完全になくし、さらに清潔性を向上させることができる。
【００１４】
【実施例】
以下、本発明の実施例について、図面を参照しながら説明する。
【００１５】
図１は、本発明の実施例のトイレ装置を便器にセットした状態の斜視図を示すものであり、図２は同トイレ装置のノズルヘッド部付近の概略斜視図であり、図３は同トイレ装置の洗浄手段のノズル収納状態における概略斜視図であり、図４は同トイレ装置の洗浄手段要部の側断面図であり、図５は同トイレ装置の洗浄手段要部の平断面図である。トイレ装置の本体１１は、便器１２の後部に横長に設けられ、本体１１は、用便後などに人体の局部を温水で洗う洗浄手段１３を内装している。
【００１６】
洗浄手段１３は、ノズルロッド部１４と、洗浄水を噴出する吐水孔１５を有したノズルヘッド部１６と、ノズルロッド部１４を非使用時収納しておくノズルシリンダー１７と、収納時にノズルヘッド部１６を洗浄するためのノズル洗浄ヘッド１８を備えており、ノズルロッド部１４の先端には、ノズルヘッド部１６が水密に接合されている。また、ノズルヘッド部１６は、吐水孔１５を除く上面と側面の外周面に、フッ素コーティングを施したステンレスの第１のノズルカバー１９がインサートされており、底面もフッ素コーティングを施したステンレスのインサート板２０で覆われている。さらに、ノズルロッド部１４もフッ素コーティングを施したステンレスの第２のノズルカバー２１がインサートされている。そして、ノズルロッド部１４内には第１の水路１４ａと第２の水路１４ｂが平行に通っており、ノズルヘッド部１６内には、第１の水路１４ａと水密に結合する第３の水路１６ａと、第２の水路１４ｂと水密に結合する第４の水路１６ｂと、第３の水路１６ａと第４の水路１６ｂとが交じり合い天面が吐水孔１５に通じる円筒形状の混合室２２が設けられている。ここで、第３の水路１６ａは混合室２２の下部に通じ、第４の水路１６ｂは円筒形状の混合室２２の接線方向に通じている。
【００１７】
以上のように構成された本実施例では、ノズルヘッド部１６の外周と第１のノズルカバー１９の内壁との隙間やノズルロッド部１４の外周と第２のノズルカバー２１の内壁との隙間がないので、局部洗浄時の汚物まじりの水やノズル洗浄時の水などが、その隙間に入り込むことがなく、清潔性を向上させることができる。
【００１８】
また、本実施例では、ノズルヘッド部１６とノズルロッド部１４の外周はフッ素コーティングを施したステンレスから成る第１のノズルカバー１９とインサート板２０と第２のノズルカバー２１で覆われているので、汚物が付き難くノズル洗浄ヘッド１８からのノズル洗浄の効果も上がり、局部洗浄時に汚物がノズルロッド部１４やノズルヘッド部１６に落ちた場合の清潔性をさらに向上させることができる。また、雑巾などで拭いても傷がつきにくい。
【００１９】
なお、第１のノズルカバー１９および第２のノズルカバー２１は、金属でかつステンレスでかつフッ素コーティングを施しかつインサート成形で構成したものが最も効果を発揮するが、金属製、ステンレス製、フッ素コーティング、インサート成形の任意の組み合わせによる構成、もしくは単一のものでの構成であっても相応の効果を発揮することは言うまでもない。例えば、金属製にすることにより一般に耐摩耗性や美観が向上するし、ステンレス製であれば耐摩耗性や美観の向上に加え、抗菌性も向上する。抗菌性という観点では銅製や銀製、銀合金製であっても同様の効果を奏する。また、フッ素コーティングであれば摺動性や防汚性に優れ、インサート成形にすると隙間を完全になくして清潔性を向上することができる。また第１のノズルカバー１９と第２のノズルカバー２１は、同一の構成であると摺動性や汚れの付着度合い、美観の統一を図ることができて好ましいが、加工性やコスト等の必要性に応じて違った構成をとっても良い。
【００２０】
【発明の効果】
以上のように本発明によれば、ノズルヘッド部の吐水孔を除く上面と側面の外周面を覆う第１のノズルカバーと、前記ノズルロッド部の外周面を覆う筒状の第２のノズルカバーとを配設することにより、ノズルヘッド部の外周と第１のノズルカバー内壁との隙間やノズルロッド部の外周と第２のノズルカバー内壁との隙間をなくし、清潔性を向上させることができる。
【図面の簡単な説明】
【図１】本発明の実施例におけるトイレ装置を便器にセットした状態の斜視図
【図２】本発明の実施例におけるトイレ装置のノズルヘッド部付近の概略斜視図
【図３】本発明の実施例におけるトイレ装置の洗浄手段のノズル収納状態における概略斜視図
【図４】本発明の実施例におけるトイレ装置の洗浄手段要部の側断面図
【図５】本発明の実施例におけるトイレ装置の洗浄手段要部の平断面図
【図６】従来のトイレ装置の要部斜視図
【符号の説明】
１１  本体
１２  便器
１３  洗浄手段
１４  ノズルロッド部
１５  吐水孔
１６  ノズルヘッド部
１９  第１のノズルカバー
２０  インサート板（底面の表面）
２１  第２のノズルカバー
【図１】
2004183275.tif 000003
【図２】
2004183275.tif 000004
【図３】
2004183275.tif 000005
【図４】
2004183275.tif 000006
【図５】
2004183275.tif 000007
【図６】
2004183275.tif 000008